(57)【特許請求の範囲】
【請求項１】
予め定められた領域において透光性を有する文字盤と、
前記文字盤の背後に配されて該文字盤にバックライトを照射する発光デバイスと、
メータ指示値を前記文字盤上の対応する位置にて指示する指針と、
前記指針を前記メータ指示値に対応する位置へ駆動する指針駆動部と、を備えたアナログメータ部と、を含む車両用メータ装置であって、
前記文字盤は、前記発光デバイスにより照明される複数の照明エリアに分割され、
前記指針の前記文字盤上の位置に基づいて、前記複数の照明エリアを、前記メータ指示値を含む特定照明エリアと、それ以外の通常照明エリアとに振り分ける照明エリア振分部と、
前記特定照明エリアと前記通常照明エリアの照明意匠を、前記複数の照明エリアの通常表示時の照明意匠である通常照明意匠とするか、前記通常照明意匠とは異なる特定照明意匠とするかを決定する照明意匠決定部と、
ユーザの操作入力により、前記特定照明意匠を用いた表示を行うか否かの設定を行うための操作入力部と、
前記複数の照明エリアを、前記ユーザの操作入力による設定、および前記決定した照明意匠に基づいて、前記発光デバイスを照明して表示制御する表示制御部と、
を備えることを特徴とする車両用メータ装置。
【請求項２】
前記文字盤上の文字あるいは目盛のうち、少なくとも一方が前記照明エリアに含まれる請求項１に記載の車両用メータ装置。
【請求項３】
前記特定照明意匠は、前記通常照明意匠とは異なる輝度にて前記発光デバイスにより照明するものである請求項１または請求項２に記載の車両用メータ装置。
【請求項４】
前記特定照明意匠は、前記通常照明意匠とは異なる表示色にて前記発光デバイスにより照明するものである請求項１ないし請求項３のいずれか１項に記載の車両用メータ装置。
【請求項５】
前記照明意匠決定部は、前記特定照明エリアの照明意匠のみを前記特定照明意匠とする請求項１ないし請求項４のいずれか１項に記載の車両用メータ装置。
【請求項６】
前記照明意匠決定部は、前記照明エリアが前記特定照明エリアから前記通常照明エリアとなったときにも、該照明エリアの照明意匠を、予め定められた時間、前記特定照明意匠とする請求項５に記載の車両用メータ装置。
【請求項７】
前記照明意匠決定部は、前記指針の移動中は、前記特定照明エリアから前記通常照明エリアとなった照明エリアの照明意匠を前記特定照明意匠のままとし、前記指針の移動が停止してから予め定められた時間が経過した後に、その前記特定照明エリアから前記通常照明エリアとなった照明エリアの照明意匠を前記通常照明意匠とする請求項１ないし請求項４のいずれか１項に記載の車両用メータ装置。
【発明の詳細な説明】
【技術分野】
【０００１】
本発明は、車両用メータ装置に関し、特に自発光式アナログ指針メータを含む車両用メータ装置に関する。
【背景技術】
【０００２】
近年、車両用メータ装置では、メータの文字盤上の文字を、メータ内の照明で直接照らす方式ではなく、メータパネル裏に取り付けられたＬＥＤ・バルブ（電球）等を光源としたバックライトで照射することで、文字そのものが発光しているように見せる自発光メータが普及しつつある。この自発光メータは、視認性にも優れ、高級感もあるため、メータひいては車両の商品性を高めている。
【０００３】
また、車両用メータ装置の商品性のさらなる向上を図るため、イグニッションスイッチをＯＮすることで指針をスイープさせるとともに、この指針を昼夜を問わず発光させる発光手段を備え、スイープをさせる際に、行きのスイープ速度に対して戻りのスイープ速度を速くする制御を行う制御部を指針に備え、この制御部は、スイープさせる際に発光手段の明るさを変化させる光調整手段を備え、おもてなし感の演出効果を増大させることができるものが考案されている（特許文献１参照）。
【先行技術文献】
【特許文献】
【０００４】
【特許文献１】特許第３８７２３８６号公報
【発明の概要】
【発明が解決しようとする課題】
【０００５】
近年、環境保護の観点から、車両においても車載電子装置の低消費電力化が進んでいる。自発光メータで低消費電力化を実現するためには、バックライト光源であるＬＥＤ・バルブに流す電流を減らすことが最も有効である。しかし、単に全てのＬＥＤ・バルブに流す電流を減らすだけでは、メータ全体の輝度が下がり、文字盤の視認性が悪化し、指針が文字盤を指しても値が判らない現象が発生し、メータ本来の機能が損なわれてしまう。
【０００６】
特許文献１の構成は、イグニッションスイッチをＯＮしたときのみの表示演出であり、車両の走行時には行われず、実用性は低く文字盤の視認性の向上にも寄与していない。また、低消費電力を目的としたものではない。
【０００７】
上記問題点を背景として、本発明の課題は、メータとしての機能を損なうことなく、文字盤の視認性を維持しつつ、車両の走行時にも照明演出を実現可能な車両用メータ装置を提供することにある。
【課題を解決するための手段および発明の効果】
【０００８】
上記課題を解決するための車両用メータ装置は、予め定められた領域において透光性を有する文字盤と、文字盤の背後に配されて該文字盤にバックライトを照射する発光デバイスと、メータ指示値を文字盤上の対応する位置にて指示する指針と、指針をメータ指示値に対応する位置へ駆動する指針駆動部と、を備えたアナログメータ部と、を含む車両用メータ装置であって、
文字盤は、発光デバイスにより照明される複数の照明エリアに分割され、指針の文字盤上の位置に基づいて、複数の照明エリアを、メータ指示値を含む特定照明エリアと、それ以外の通常照明エリアとに振り分ける照明エリア振分部と、特定照明エリアと通常照明エリアの照明意匠を、複数の照明エリアの通常表示時の照明意匠である通常照明意匠とするか、通常照明意匠とは異なる特定照明意匠とするかを決定する照明意匠決定部と、複数の照明エリアを、決定した照明意匠に基づいて発光デバイスを照明して表示制御する表示制御部と、を備えることを前提とする。
【０００９】
上記構成によって、メータとしての機能を損なうことなく、文字盤の視認性を維持しつつ、車両の走行時にも照明演出を実現することが可能となる。
【００１０】
また、本発明の車両用メータ装置は、文字盤上の文字あるいは目盛のうち、少なくとも一方が照明エリアに含まれる。
【００１１】
上記構成によって、メータとしての機能を損なうことなく、文字盤の視認性を維持しつつ、木目の細かい照明演出を実現することが可能となる。
【００１２】
また、本発明の車両用メータ装置における特定照明意匠は、通常照明意匠とは異なる輝度にて発光デバイスにより照明する。
【００１３】
本発明は、文字盤を照明しているＬＥＤ・バルブのような発光デバイスの大半はＭＰＵもしくはドライバ回路により制御されていることに着目し、ユーザに正しい計測値を伝える文字盤としての機能を損なうことなく、発光デバイスに流す電流を減らすことができるようにしたものである。例えば、指針の位置により、あらかじめ設定された照明エリアのみの輝度を上げ、その他の照明エリアは最小輝度とすることで、ユーザに指針の指す値を伝える機能を落とすことなく、消費電流を下げることができる。このように、照明意匠を変化させ、文字盤用に配置されている発光デバイスの電流値に差をつけ、輝度差を出すことでエコ照明演出としての効果も兼ね備えることができ、メータの発熱も抑えることができる。
【００１４】
また、本発明の車両用メータ装置における特定照明意匠は、通常照明意匠とは異なる表示色にて発光デバイスにより照明する。
【００１５】
上記構成によっても、メータとしての機能を損なうことなく、文字盤の視認性を維持しつつ、木目の細かい照明演出を実現することが可能となる。例えば、発光色が異なる２つの発光デバイスを、指針の位置に合わせて照明しようとしているエリア（すなわち照明エリア）に配置しておき、指針の位置において、一方の発光色を有する発光デバイスは全照明エリアにて照明し、指針の位置の照明エリアのみ他方の発光色を有する発光デバイスでも照明し、２色を混合することで、通常照明意匠とは異なる表示色にて照明することができる。
【００１６】
また、本発明の車両用メータ装置における照明意匠決定部は、特定照明エリアの照明意匠のみを特定照明意匠とする。
【００１７】
上記構成によって、指針の動きに追従して特定照明意匠で表示される照明エリア（特定照明エリア）も変化し、照明演出の効果を高めることができる。
【００１８】
また、本発明の車両用メータ装置における照明意匠決定部は、照明エリアが特定照明エリアから通常照明エリアとなったときにも、該照明エリアの照明意匠を、予め定められた時間、特定照明意匠とする。
【００１９】
指針の位置が頻繁に変化しているときに、その指針に追従して照明エリアの種別（通常あるいは特定）が変化すると、照明演出の効果は高くなるものの、状況によってはメータを視認し辛くなることも考えられる。上記構成によって、メータの視認性を維持しつつ、過剰とならない照明演出を行うことができる。
【００２０】
また、本発明の車両用メータ装置における照明意匠決定部は、指針の移動中は、特定照明エリアから通常照明エリアとなった照明エリアの照明意匠を特定照明意匠のままとし、指針の移動が停止してから予め定められた時間が経過した後に、その特定照明エリアから通常照明エリアとなった照明エリアの照明意匠を通常照明意匠とする。
【００２１】
上記構成によって、メータの視認性を維持しつつ、過剰とならない照明演出を行うことができるとともに、指針が移動中か否かを示すことが可能となる。
【００２２】
また、本発明の車両用メータ装置は、ユーザの操作入力により、特定照明意匠を用いた表示を行うか否かの設定を行うための操作入力部を備える。
【００２３】
上記構成によって、ユーザの好みにより照明演出を行うかどうかを選択することが可能となる。
【図面の簡単な説明】
【００２４】
【図１】車両用メータ装置の電気的構成を示すブロック図。
【図２】車両用メータ装置の構成を示す図。
【図３】速度計の構成を示す正面図。
【図４】図３の速度計のＡ−Ａ断面図。
【図５】アナログメータ部におけるＬＥＤ点灯制御の構成の別例を示す図。
【図６】アナログメータ部におけるＬＥＤ点灯制御の構成の別例を示す図。
【図７】ＬＥＤ点灯制御処理を説明するフロー図。
【図８】ＬＥＤ点灯制御処理の別例を説明するフロー図。
【図９】ＬＥＤ点灯制御処理の別例を説明するフロー図。
【図１０】速度計の構成の別例を示す図。
【発明を実施するための形態】
【００２５】
以下、本発明の車両用メータ装置の一実施例を、図面を用いて説明する。図１のように、車両用メータ装置は、いわゆるメータの表示制御を行うメータＥＣＵ１として構成され、このメータＥＣＵ１には、電源を供給するバッテリ３１，例えばメカニカルスイッチとして構成されるＥＣＯ  ＳＷ３２（詳細は後述），およびセンサ群３３（詳細は後述）が接続されている。
【００２６】
メータＥＣＵ１は、ＭＰＵ（MicroProcessor  Unit：マイクロプロセッサ・ユニット）１１とＭＰＵ１１に接続された電源回路１２，ＥＥＰＲＯＭ（Electronically  Erasable  and  Programmable  Read  Only  Memory：電気的消却・プログラム可能型読取専用メモリ）１３，アナログメータ部２０を含んで構成される。
【００２７】
ＭＰＵ１１は、ＣＰＵ１１ａ，ＲＯＭ１１ｂ，ＲＡＭ１１ｃ，入出力回路１１ｄ，およびこれらを接続するバスライン１１ｅを備え、ＣＰＵ１１ａがＲＯＭ１１ｂに記憶されたメータ制御プログラムを実行することで、メータＥＣＵ１としての機能を実現する。すなわち、入出力回路１１ｄあるいは周知の通信インターフェース（図示せず）を介して取得したセンサ信号等の入力情報に基づいて、ＣＰＵ１１ａにおいて対応する演算処理を行い、演算結果に基づいてメータの表示制御を行う。なお、ＭＰＵ１１が本発明の照明エリア振分部，照明意匠決定部，表示制御部に相当する。
【００２８】
また、ＭＰＵ１１には、アクセサリ系負荷への電源供給をコントロールするためにユーザが操作するアクセサリスイッチ（ＡＣＣ  ＳＷ：３４）の状態（ＡＣＣ）、あるいはエンジン始動のためにユーザが操作するイグニッションスイッチ（ＩＧ  ＳＷ：３４）の状態（ＩＧ＋）が電圧値として入力される。ＭＰＵ１１では、この電圧値を図示しないＡ／Ｄ変換器によりＡ／Ｄ変換し、Ａ／Ｄ変換後の値に基づいてスイッチの状態を判定する。
【００２９】
電源回路１２は、バッテリ３１から供給された電源（＋Ｂ）を、例えばＭＰＵ１１の電源電圧であるＶｃｃのような所定の電圧に変換してＭＰＵ１１に供給する。また、ＭＰＵ１１以外のＥＥＰＲＯＭ１３を含め、メータＥＣＵ１内の図示しない周辺回路にも電源を供給する。
【００３０】
ＥＥＰＲＯＭ１３は、例えば走行距離のような、メータＥＣＵ１の動作に必要なデータを記憶している。
【００３１】
ＥＣＯ  ＳＷ３２は、ユーザの操作によりアナログメータ部２０の点灯形態を切り替えるためのものである（詳細は後述）。
【００３２】
センサ群３３は、アナログメータ部２０の表示に必要なデータを取得するためのもので、以下のうちの少なくとも一つあるいは複数の組み合わせを用いる。
・車両の速度を検出する車速センサ（車速計２０１にて表示）。
・エンジンの回転数を検出するエンジン回転センサ（エンジン回転計２０２にて表示）。
・燃料の残量を検出する燃料残量センサ（燃料残量計２０３にて表示）。
・エンジンの冷却水の水温を検出する水温センサ（水温計２０４にて表示）。
【００３３】
図２に、アナログメータ部２０の構成例を示す。図２の例では、車速計２０１の他に、エンジン回転計２０２，燃料残量計２０３，水温計２０４をアナログメータとして構成している。これらアナログメータは、それぞれ文字盤（２１６，２２６，２３６，２４６），指針（２１３，２２３，２３３，２４３）を備え、文字盤には数字あるいは文字（２１６ａ，２２６ａ，２３６ａ，２４６ａ），目盛（２１６ｂ，２２６ｂ，２３６ｂ，２４６ｂ）が表示されるようになっている。なお、文字，目盛は、一部のみ符号を付記してある。
【００３４】
図３を用いて、アナログメータ部２０の構成の詳細について、車速計２０１を例に挙げて説明する。文字盤２１６は、透光性を有する薄板で形成されている。文字盤２１６の外周部には、その周方向に略等間隔のような所定の間隔で車両の速度を示す数字２１６ａおよびその数字に対応した目盛２１６ｂが印刷されている。そして、文字盤２１６の数字２１６ａおよび目盛２１６ｂを除く部位（２１６ｃ）には、光を透過させないように非透光性の着色層が形成されている。
【００３５】
図４に、図３におけるＡ−Ａ断面図を示す。図１および図４のように、文字盤２１６の数字２１６ａおよび目盛２１６ｂはその位置に対応して配置される文字盤照明用ＬＥＤであるＬＥＤ１〜ＬＥＤｎ（図４ではＬＥＤ４を例示）の発光により、文字盤２１６の後方から照明される（いわゆるバックライト）。また、数字２１６ａおよび目盛２１６ｂのそれぞれに対して個別のＬＥＤを配置して照明してもよいし、数字２１６ａおよび目盛２１６ｂのＬＥＤの表示色を異なるものとしてもよい。図１のように、各ＬＥＤは、それぞれのカソード側に接続されたＬＥＤドライバ２１４により点灯制御される。ＬＥＤドライバ２１４は、ＭＰＵ１１の制御指令に基づいて、周知のＰＷＭ駆動によるパルス信号（ＰＷＭ信号）を各ＬＥＤに対して生成・出力し、各ＬＥＤの点灯／消灯あるいは輝度を制御する。各ＬＥＤのアノード側に接続された抵抗Ｒ１〜Ｒｎは、ＬＥＤ１〜ＬＥＤｎへ流れる電流を制限する（過電流防止）ためのものである。なお、ＬＥＤ１〜ＬＥＤｎが本発明の発光デバイスに相当する。また、発光デバイスとしてＬＥＤの他に、バルブ（電球）を用いてもよい。
【００３６】
指針２１３は、その回転中心が例えばステップモータで構成されるモータ２１２の回転軸２１２ｂに取り付けられている。ＭＰＵ１１では、センサ群３３に含まれる車速センサからの信号を取得して車速（すなわちメータ指示値）を算出し、周知のモータ駆動回路を含む指針駆動部２１１に送る。指針駆動部２１１では、メータ指示値およびメータの現在位置（例えば、０ｋｍ／ｈの位置を原点とし、原点を基準としたモータ２１２の回転ステップ数）に基づいてモータ２１２の回転ステップ数および回転方向を算出して、その回転ステップ数だけモータ２１２を回転駆動する。
【００３７】
また、指針２１３は、その表側は透光性の部材２１３ｄで構成され、その回転中心近傍にＬＥＤｎ＋１が配置され、そのＬＥＤｎ＋１が指針２１３の先端方向に照明することで、指針２１３が照明されるようになっている。また、指針２１３の回転中心に取り付けられたカバー部材２１３ａにより、ＬＥＤｎ＋１は乗員からは見えないようになっている。
【００３８】
図５に、図１のアナログメータ部２０におけるＬＥＤ点灯制御の構成の別例を示す。図５の構成では、ＬＥＤドライバ２１４を用いず、ＭＰＵ１１により各ＬＥＤのカソード側に接続されたスイッチング素子であるトランジスタＴＲ１〜ＴＲｎを、ＭＰＵ１１により生成・出力されるＰＷＭ信号によりオン／オフさせて、各ＬＥＤの点灯制御を行うようになっている。つまり、ＭＰＵ１１がＬＥＤドライバ２１４を含む構成となっている。
【００３９】
また、図６に、図１のＬＥＤ点灯制御の構成のさらなる別例を示す。図６の構成では、ＬＥＤドライバ２１４において各ＬＥＤをＰＷＭ（周期は例えば１００Ｈｚ）により点灯制御する。ＬＥＤドライバ２１４へは、ＭＰＵ１１からシリアル通信（周期は例えば１ｋＨｚ）により各ＬＥＤについてのＯＮ／ＯＦＦのデータを送る。そして、ＬＥＤドライバ２１４では、シリアル受信データをパラレルデータに変換し、そのＯＮ／ＯＦＦの信号を該当するＬＥＤに出力する。つまり、ＭＰＵ１１からデータを１０回送るとＰＷＭ１周期分の信号がＬＥＤドライバ２１４から出力されることになる。たとえば、ＯＮを５回，ＯＦＦを５回送るとデューティ５０％のＰＷＭ信号を出力することができる。また、スイッチ（ＳＷ）２１５は、バッテリ３１から各ＬＥＤへ電源の供給／遮断を一括して行うためのものである。
【００４０】
図７を用いて、ＬＥＤ点灯制御処理について説明する。なお、本処理は、ＣＰＵ１１ａがＲＯＭ１１ｂに記憶されたメータ制御プログラムに含まれ、該プログラムに含まれる他の処理とともに繰り返し実行される。また、本処理も車速計２０１を例に挙げて説明する。
【００４１】
まず、調光条件が成立したか否かを判定する（Ｓ１１）。アクセサリスイッチあるいはイグニッションスイッチ（３４）がＯＮ状態のときに調光条件が成立したと判定する。調光条件が成立したと判定したとき（Ｓ１２：Ｙｅｓ）、ＥＣＯ  ＳＷ３２の情報（すなわち、ＳＷ３２ａの状態）を取得する（Ｓ１３）。
【００４２】
ＥＣＯ  ＳＷ３２がＯＦＦ状態のとき（Ｓ１４：Ｎｏ）、通常点灯モードによる表示を行う（Ｓ２３）。この場合、全ての数字，目盛（すなわち照明エリア）が通常照明エリアとなり、通常照明意匠（予め定められた表示色および表示輝度）により表示を行う。
【００４３】
一方、ＥＣＯ  ＳＷ３２がＯＮ状態のとき（Ｓ１４：Ｙｅｓ）、メータ指示値情報を取得する（Ｓ１５）。メータ指示値情報は、他の処理で算出されＲＡＭ１１ｃに記憶されているものを参照してもよいし、センサ群３３に含まれるセンサ（例えば車速センサ）の値を取得し、取得したセンサ値を基にメータ指示値を算出してもよい。
【００４４】
次に、メータ指示値に基づいて、以下のようにして特定照明エリアを決定する（Ｓ１６）。
・車速が目盛値±５ｋｍ／ｈ（予め定められた範囲）に含まれるときには、その目盛値に対応する車速の数字および目盛と、その車速の数字および目盛に隣接する車速の数字および目盛を特定照明エリアとする。例えば、図３において、車速が５５〜６５ｋｍ／ｈのときには、数字「４０」，「６０」，「８０」とこれらの数字に対応する目盛が特定照明エリアとなる。また、車速が０ｋｍ／ｈ（下限値）あるいは１８０ｋｍ／ｈ（上限値）のときには、それぞれ数字「０」，「２０」、あるいは数字［１８０］，「１６０」とこれらの数字に対応する目盛が特定照明エリアとなる。また、特定照明エリアに含まれない数字および目盛が通常照明エリアとなる。
【００４５】
・車速が目盛値±５ｋｍ／ｈに含まれないときには、その目盛値に最も近い値の数字と、２番目に近い値の数字、およびこれらの数字に対応する目盛を特定照明エリアとする。例えば、図３において、車速が６６〜７４ｋｍ／ｈのときには、数字「６０」，「８０」とこれらの数字に対応する目盛が特定照明エリアとなる。
【００４６】
次に、照明意匠を決定し（Ｓ１７）、決定した表示意匠に基づいて表示（照明）を行う（Ｓ１８）。すなわち、通常照明エリアは通常照明意匠にて、特定照明エリアは特定照明意匠にて表示を行う。
【００４７】
特定照明意匠（特定照明エリアの表示形態）は、以下のうちの１つ以上を用いる。
・特定照明エリアの表示輝度を通常照明エリアの表示輝度よりも高くする（輝度の上限は法規に準ずる）。
・通常照明エリアの表示輝度を特定照明エリアの表示輝度よりも低くする（輝度の下限は法規に準ずるが、通常照明エリアを消灯可能なこともある）。
・特定照明エリアの表示色を通常照明エリアの表示色とは異なるものとする。この場合、各ＬＥＤ（ＬＥＤ１〜ＬＥＤｎ）は、例えば３個のＬＥＤ（赤，緑，青）を1つのパッケージに収めた多色ＬＥＤを用い、ＬＥＤドライバ２１４あるいはＭＰＵ１１では、それぞれのＬＥＤの各色について点灯制御を行う。多色ＬＥＤ用のドライバとしては、３色ＬＥＤ多色化コントローラドライバが知られている。
【００４８】
次に、上述のステップＳ１１と同様に調光条件が成立したか否かを判定する（Ｓ１９）。調光条件が成立したと判定したとき（Ｓ２０：Ｙｅｓ）、ＥＣＯ  ＳＷ３２の情報（すなわち、ＳＷ３２ａの状態）を取得する（Ｓ２１）。調光条件が成立しないと判定したとき（Ｓ２０：Ｎｏ）、ステップＳ１１へ戻る。
【００４９】
ＥＣＯ  ＳＷ３２がＯＦＦ状態のとき（Ｓ２２：Ｎｏ）、通常点灯モードによる表示を行う（Ｓ２３）。一方、ＥＣＯ  ＳＷ３２がＯＮ状態のとき（Ｓ２２：Ｙｅｓ）、ステップＳ１５へ戻り、以降の処理を繰り返す。
【００５０】
上述の例では、指針２１３の移動に応じて特定照明エリアが逐次変化するもの（すなわち、指針２１３が位置する特定照明エリアのみが特定照明意匠にて表示される構成）であるが、図８を用いて、表示方法の別例について説明する。これは、図７のＬＥＤ点灯制御処理の変形例で、ステップＳ１７の内容のみ異なるものであるため、図７と同一のステップについては、ここでの説明を割愛する。本処理は、指針の移動が停止してから予め定められた時間が経過した後に、特定照明エリアから通常照明エリアとなった照明エリアの照明意匠を通常照明意匠とするものである。
【００５１】
まず、図７と同様に、ステップＳ１１〜Ｓ１６を実行して特定照明エリアを決定する。次に、ＲＡＭ１１ｃに一時記憶されている前回決定した特定照明エリアを読み出して、今回決定した特定照明エリアが前回決定した特定照明エリアから変化しているか否かを判定する。
【００５２】
今回決定した特定照明エリアが前回決定した特定照明エリアから変化していると判定したとき（Ｓ１７１：Ｙｅｓ）、前回決定した特定照明エリアから今回決定した特定照明エリアまでの照明エリアを、特定照明意匠とする（Ｓ１７２）。そして、タイマをスタートさせる（Ｓ１７３）。
【００５３】
一方、今回決定した特定照明エリアが前回決定した特定照明エリアから変化していない判定したとき（Ｓ１７１：Ｎｏ）、タイマが動作中であるか否かを判定する。タイマが動作中であると判定したとき（Ｓ１７４：Ｙｅｓ）、例えば３秒のような予め定められてＲＯＭ１１ｂに記憶された所定時間を経過したか否かを判定する。所定時間を経過したと判定したとき（Ｓ１７５：Ｙｅｓ）、タイマを停止し（Ｓ１７６）、今回決定した（すなわち最新の）特定照明エリア以外を通常照明意匠とする（Ｓ１７７）。所定時間を経過していないと判定したとき（Ｓ１７５：Ｎｏ）、ステップＳ１８へ移る。
【００５４】
一方、タイマが動作中でないと判定したとき（Ｓ１７４：Ｎｏ）、今回決定した特定照明エリア以外を通常照明意匠とする（Ｓ１７７）。
【００５５】
図３の速度計において、例えば車速が０ｋｍ／ｈ→５０ｋｍ／ｈに変化したときには、図８の処理では以下のように表示を行う。
・車速が０ｋｍ／ｈのときには、数字「０」と「２０」が特定照明意匠で表示される。無論、これらの数字に対応する目盛（２１６ｂ）も特定照明意匠で表示される（目盛については以下も同じ）。
・車速が１５ｋｍ／ｈを超えると、数字「０」，「２０」に加えて数字「４０」も特定照明意匠で表示される。
・車速が３５ｋｍ／ｈを超えると、数字「０」，「２０」，「４０」に加えて数字「６０」も特定照明意匠で表示される。
・車速が５０ｋｍ／ｈとなり所定時間（例えば３秒）経過すると、数字「４０」と「６０」のみが特定照明意匠で表示され、数字「０」，「２０」は通常照明意匠で表示される。
【００５６】
また、上述の例で以下のように表示を行ってもよい。これは、一つ前の特定照明エリアも特定照明意匠で表示するものである。
・車速が０ｋｍ／ｈのときには、数字「０」と「２０」が特定照明意匠で表示される。無論、これらの数字に対応する目盛（２１６ｂ）も特定照明意匠で表示される（目盛については以下も同じ）。
・車速が１５ｋｍ／ｈを超えると、数字「０」，「２０」に加えて数字「４０」も特定照明意匠で表示される。
・車速が３５ｋｍ／ｈを超えると、数字「２０」，「４０」に加えて数字「６０」も特定照明意匠で表示される。一方、数字「０」はは通常照明意匠で表示される。
・車速が５０ｋｍ／ｈとなり所定時間（例えば３秒）経過すると、数字「４０」と「６０」のみが特定照明意匠で表示され、数字「２０」は通常照明意匠で表示される。
【００５７】
図９を用いて、表示方法の別例について説明する。これは、図８のＬＥＤ点灯制御処理の変形例で、ステップＳ１７の内容のみ異なるものであるため、図７および図８と同一のステップについては、ここでの説明を割愛する。本処理は、照明エリアが特定照明エリアから通常照明エリアとなったときにも、該照明エリアの照明意匠を、予め定められた時間、特定照明意匠とするものである。
【００５８】
まず、図７と同様に、ステップＳ１１〜Ｓ１６を実行して特定照明エリアを決定する。次に、ＲＡＭ１１ｃに一時記憶されている前回決定した特定照明エリアを読み出して、今回決定した特定照明エリアが前回決定した特定照明エリアから変化しているか否かを判定する。
【００５９】
次に、図８と同様に、今回決定した特定照明エリアが前回決定した特定照明エリアから変化していると判定したとき（Ｓ１７１：Ｙｅｓ）、前回決定した特定照明エリアから今回決定した特定照明エリアまでの照明エリアを、特定照明意匠とする（Ｓ１７２）。そして、ＲＡＭ１１ｃ上の、特定照明エリアから通常照明エリアとなった照明エリアに対応するタイマをスタートさせる（Ｓ１７３ａ）。
【００６０】
そして、各照明エリアのタイマのうち、例えば３秒のような予め定められてＲＯＭ１１ｂに記憶された所定時間を経過したか否かを判定する。所定時間を経過したと判定したとき（Ｓ１７５ａ：Ｙｅｓ）、該当するタイマを停止し（Ｓ１７６ａ）、停止したタイマに対応する照明エリアを通常照明意匠とする（Ｓ１７７ａ）。その後、ステップＳ１８へ移る。
【００６１】
図１０を用いて、各照明エリアの構成の別例について説明する。図１０の例は、照明エリアが目盛と指針の回転中心とを結ぶ線（破線で表示）により区分され、これらの照明エリア２１６ｃ１〜２１６ｃ９は、透光性を有する薄板で形成され、その背後に取り付けられたＬＥＤ１〜ＬＥＤ９により照明される。この際、薄板は、隣接する照明エリアに光が漏れないような形状や材質のものを用いる。また、文字盤２１６の裏側において、隣接する照明エリアとの境界（破線部分）に遮光板を設けてもよい。なお、数字２１６ａおよび目盛２１６ｂは、図３と同様の構成としてもよいし（この場合は文字盤２１６側に光が漏れないようにする）、表面に非透光性の着色層を形成してもよい。
【００６２】
図１０の構成では、以下のようにして特定照明エリアを決定する。
・車速が目盛値±５ｋｍ／ｈ（予め定められた範囲）に含まれるときには、その目盛値が両端のいずれかにある照明エリアを特定照明エリアとする。例えば、図８の処理では、車速が５５〜６５ｋｍ／ｈのときには、両端に数字「４０」，「６０」のある照明エリア２１６ｃ３，および両端に数字「６０」，「８０」のある照明エリア２１６ｃ４が特定照明エリアとなる。また、車速が０ｋｍ／ｈ（下限値）あるいは１８０ｋｍ／ｈ（上限値）のときには、それぞれ両端に数字「０」，「２０」のある照明エリア２１６ｃ１、両端に数字［１８０］，「１６０」のある照明エリア２１６ｃ９が特定照明エリアとなる。また、特定照明エリアに含まれない照明エリアが通常照明エリアとなる。
【００６３】
・車速が目盛値±５ｋｍ／ｈに含まれないときには、車速（メータ指示値）が含まれる照明エリアを特定照明エリアとする。例えば、図８の処理では、車速が６６〜７４ｋｍ／ｈのときには、両端に数字「６０」，「８０」のある照明エリア２１６ｃ４が特定照明エリアとなる。
【００６４】
図３の速度計において、図８の処理で、例えば車速が０ｋｍ／ｈ→５０ｋｍ／ｈに変化したときには、図１０の例では以下のように表示を行う。
・車速が０ｋｍ／ｈのときには、両端に数字「０」，「２０」のある照明エリア２１６ｃ１が特定照明意匠で表示される。
・車速が１５ｋｍ／ｈを超えると、数字「０」と「４０」の間にある照明エリア２１６ｃ１，２１６ｃ２が特定照明意匠で表示される。
・車速が３５ｋｍ／ｈを超えると、数字「０」と「６０」の間にある照明エリア２１６ｃ１〜２１６ｃ３が特定照明意匠で表示される。
・車速が５０ｋｍ／ｈとなり所定時間（例えば３秒）経過すると、数字「４０」と「６０」の間にある照明エリア２１６ｃ３のみが特定照明意匠で表示され、数字「０」と「４０」の間にある照明エリア２１６ｃ１，２１６ｃ２は通常照明意匠で表示される。
【００６５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００６６】
１    メータＥＣＵ（車両用メータ装置）
１１    ＭＰＵ（照明エリア振分部，照明意匠決定部，表示制御部）
２０    アナログメータ部
３２    ＥＣＯ  ＳＷ
２０１    車速計
２１１    指針駆動部
２１６    文字盤
２１６ａ  数字・文字（照明エリア）
２１６ｂ  目盛（照明エリア）
２１６ｃ１〜２１６ｃ９  照明エリア
ＬＥＤ（１〜ｎ）  発光デバイス
【図１】
0005499867.tif 000002
【図２】
0005499867.tif 000003
【図３】
0005499867.tif 000004
【図４】
0005499867.tif 000005
【図５】
0005499867.tif 000006
【図６】
0005499867.tif 000007
【図７】
0005499867.tif 000008
【図８】
0005499867.tif 000009
【図９】
0005499867.tif 000010
【図１０】
0005499867.tif 000011